(57)【要約】【課題】情報の投稿者に対して効果的に広告を出力することができるようにする。【解決手段】サーバ装置２０は、ユーザから投稿される記事を記憶する記事データベース２５１と、キーワードに対応付けて広告情報を記憶する広告データベース２５３とを備える。サーバ装置２０は、ユーザから記事を受け付ける投稿要求受信部２１１と、記事情報を記事データベース２５１に登録する情報登録部２１２と、投稿情報に含まれるキーワードを抽出し、抽出したキーワードに対応する広告情報を広告データベース２５１から取得する広告取得部２１３と、投稿情報を登録した旨を示すメッセージとともに、広告情報を表示するための終了画面データを送信する終了画面送信部２１４と、を備える。【選択図】図９
2010015456.tif 000002
【特許請求の範囲】
【請求項１】
ユーザから投稿される投稿情報を記憶する投稿記憶部と、
キーワードに対応付けて広告情報を記憶する広告記憶部と、
前記ユーザから前記投稿情報の入力を受け付ける投稿情報入力部と、
前記投稿情報を前記投稿記憶部に登録する投稿登録部と、
前記投稿情報に含まれる前記キーワードを抽出するキーワード抽出部と、
前記抽出したキーワードに対応する前記広告情報を前記広告記憶部から読み出す広告取得部と、
前記投稿情報を登録した旨を示すメッセージとともに、前記読み出した広告情報を出力する広告出力部と、
を備えることを特徴とする情報管理システム。
【請求項２】
請求項１に記載の情報管理システムであって、
前記投稿情報を登録するように指示する登録要求の入力を受け付ける登録要求入力部を備え、
前記投稿情報入力部が前記投稿情報の入力を受け付け、前記広告取得部が前記投稿情報に含まれる前記キーワードに対応する前記広告情報を前記広告記憶部から読み出し、前記広告出力部が前記入力された投稿情報を登録するか否かを問い合わせる登録確認メッセージとともに前記広告情報を出力し、前記登録要求入力部が前記登録要求を受け付けた場合に、前記メッセージ登録部が前記投稿情報を前記メッセージ記憶部に登録すること、
を特徴とする情報管理システム。
【請求項３】
請求項１に記載の情報管理システムであって、
前記投稿情報を特定する投稿特定情報に対応付けて、前記投稿情報に対するコメント情報を記憶するコメント記憶部と、
前記投稿特定情報及び前記コメント情報の入力を受け付けるコメント情報入力部と、
前記受け付けた投稿特定情報及びコメント情報を対応付けて前記コメント記憶部に登録するコメント登録部と、
を備え、
前記広告取得部は、前記コメント情報入力部が受け付けた前記コメント情報に含まれている前記キーワードに対応する前記広告情報を前記広告記憶部から読み出し、
前記広告出力部は、前記コメント情報を登録した旨を示すメッセージとともに前記広告情報を出力すること、
を特徴とする情報管理システム。
【請求項４】
請求項３に記載の情報管理システムであって、
前記コメント情報を登録するように指示するコメント登録要求の入力を受け付ける登録要求入力部を備え、
前記コメント情報入力部が前記コメント情報の入力を受け付け、前記広告取得部が前記コメント情報に含まれる前記キーワードに対応する前記広告情報を前記広告記憶部から読み出し、前記広告出力部が前記入力されたコメント情報を登録するか否かを問い合わせる登録確認メッセージとともに前記広告情報を出力し、前記コメント登録要求入力部が前記コメント登録要求を受け付けた場合に、前記コメント登録部が前記コメント情報を前記コメント記憶部に登録すること、
を特徴とする情報管理システム。
【請求項５】
請求項３に記載の情報管理システムであって、
前記投稿特定情報を含む、前記投稿情報を出力するように指示する出力要求の入力を受け付ける出力要求入力部を備え、
前記広告出力部は、前記出力要求に含まれる前記投稿特定情報に対応する前記投稿情報を前記投稿記憶部から読み出し、前記投稿特定情報に対応する前記コメント情報を前記コメント記憶部から読み出し、
前記広告取得部は、前記投稿情報に含まれている前記キーワードに対応する第１の前記広告情報を前記広告記憶部から読み出し、前記コメント情報のそれぞれについて、前記コメント情報に含まれている前記キーワードに対応する第２の前記広告情報を前記広告記憶部から読み出し、
前記広告出力部は、前記投稿情報及び前記第１の広告情報を対応付けて出力し、前記コメント情報のそれぞれについて、前記コメント情報と対応する前記第２の広告情報とを対応付けて出力すること、
を特徴とする情報管理システム。
【請求項６】
ＣＰＵとメモリとを備えるコンピュータが、
ユーザから投稿される投稿情報を前記メモリに記憶し、
キーワードに対応付けて広告情報を前記メモリに記憶し、
前記ユーザから前記投稿情報の入力を受け付け、
前記投稿情報を前記投稿記憶部に登録し、
前記投稿情報に含まれる前記キーワードを抽出し、
前記抽出したキーワードに対応する前記広告情報を前記メモリから読み出し、
前記投稿情報を登録した旨を示すメッセージとともに、前記読み出した広告情報を出力すること、
を特徴とする広告出力方法。
【請求項７】
ＣＰＵとメモリとを備えるコンピュータに、
ユーザから投稿される投稿情報を前記メモリに記憶するステップと、
キーワードに対応付けて広告情報を前記メモリに記憶するステップと、
前記ユーザから前記投稿情報の入力を受け付けるステップと、
前記投稿情報を前記投稿記憶部に登録するステップと、
前記投稿情報に含まれる前記キーワードを抽出するステップと、
前記抽出したキーワードに対応する前記広告情報を前記メモリから読み出すステップと、
前記投稿情報を登録した旨を示すメッセージとともに、前記読み出した広告情報を出力するステップと、
を実行させるためのプログラム。
【発明の詳細な説明】
【技術分野】
【０００１】
本発明は、情報管理システム、広告出力方法及びプログラムに関する。
【背景技術】
【０００２】
インターネット上でのＷｅｂページにおいて広告を表示する際に、Ｗｅｂページの内容に応じて動的な広告を表示するような工夫が行われている。また、Ｗｅｂページの閲覧者の動向に応じた広告を表示するような技術も提案されてきており、例えば、特許文献１には、リファラから検索エンジンに使われたキーワードを取得して表示する広告を選別するシステムが開示されている。
【特許文献１】特開２００７−２２００５８号公報
【発明の開示】
【発明が解決しようとする課題】
【０００３】
ところで、近年では掲示板やブログなど、多数のユーザから投稿される記事やコメントをまとめてＷｅｂページとして管理するサービスが盛んに利用されている。しかしながら、従来の広告はＷｅｂページの閲覧者を対象としており、投稿者を対象とすることは想定されていなかった。
【０００４】
本発明は、このような背景を鑑みてなされたものであり、情報の投稿者に対して効果的に広告を出力することのできる、情報管理システム、広告出力方法及びプログラムを提供することを目的とする。
【課題を解決するための手段】
【０００５】
上記課題を解決するための本発明の主たる発明は、情報管理システムであって、ユーザから投稿される投稿情報を記憶する投稿記憶部と、キーワードに対応付けて広告情報を記憶する広告記憶部と、前記ユーザから前記投稿情報の入力を受け付ける投稿情報入力部と、前記投稿情報を前記投稿記憶部に登録する投稿登録部と、前記投稿情報に含まれる前記キーワードを抽出するキーワード抽出部と、前記抽出したキーワードに対応する前記広告情報を前記広告記憶部から読み出す広告取得部と、前記投稿情報を登録した旨を示すメッセージとともに、前記読み出した広告情報を出力する広告出力部と、を備えることとする。
【０００６】
本発明の情報管理システムによれば、投稿情報を登録した旨を投稿者に対して出力する際に、その投稿情報から抽出したキーワードに対応する広告を、投稿者に対して出力することができる。すなわち、投稿された内容に応じた広告を、投稿者に対して出力することができる。従来広告は情報の投稿者ではなく、閲覧者に対して出力されるものであったところ、投稿者に対しても広告を出力することができるので、広告の露出機会を増加させることができる。特に、ブログや掲示板など、ユーザからの投稿の機会が多いサービスにおいてはより多くの広告の露出機会を確保することができる。
【０００７】
また、投稿者は投稿した内容について最も関心が高いユーザの一人であるので、投稿された内容に応じた広告を、最も関心が高いユーザを対象として出力することができる。よって、より効果的な広告効果が期待される。
【０００８】
さらに、投稿者は投稿した内容について時間とともに記憶が薄れることが多いものの、本発明の情報管理システムでは、投稿された情報を登録する時点で、その内容に応じた広告を出力することができるので、投稿者の記憶の新しいうちに、関連した広告を閲覧させることができる。よって、効果的な広告効果が期待される。
【０００９】
また、本発明の情報管理システムは、前記投稿情報を特定する投稿特定情報に対応付けて、前記投稿情報に対するコメント情報を記憶するコメント記憶部と、前記投稿特定情報及び前記コメント情報の入力を受け付けるコメント情報入力部と、前記受け付けた投稿特定情報及びコメント情報を対応付けて前記コメント記憶部に登録するコメント登録部と、を備え、前記広告取得部は、前記コメント情報入力部が受け付けた前記コメント情報に含まれている前記キーワードに対応する前記広告情報を前記広告記憶部から読み出し、前記広告出力部は、前記コメント情報を登録した旨を示すメッセージとともに前記広告情報を出力するようにしてもよい。  
この場合、コメントの対象となった記事の内容に関わらず、コメントの内容に応じた広告を、コメントの投稿者に対して出力することができる。したがって、例えば、コメントの対象となる記事の内容が多岐に渡り、その一部についてのみコメントをした場合にも、コメントをした一部の内容に応じた広告を出力することができるので、コメントをしたユーザにとって関心の高い内容に関連する広告のみを出力することが可能となる。よって、より効果的な広告を行うことができる。
【００１０】
また、本発明の情報管理システムは、前記コメント情報を登録するように指示するコメント登録要求の入力を受け付ける登録要求入力部を備え、前記コメント情報入力部が前記コメント情報の入力を受け付け、前記広告取得部が前記コメント情報に含まれる前記キーワードに対応する前記広告情報を前記広告記憶部から読み出し、前記広告出力部が前記入力されたコメント情報を登録するか否かを問い合わせる登録確認メッセージとともに前記広告情報を出力し、前記コメント登録要求入力部が前記コメント登録要求を受け付けた場合に、前記コメント登録部が前記コメント情報を前記コメント記憶部に登録するようにしてもよい。  
この場合、コメントの投稿者が、投稿しようとしているコメントの内容を確認している間に、既に入力された内容に応じた広告を投稿者に対して出力することができる。
【００１１】
また、本発明の情報管理システムは、前記投稿特定情報を含む、前記投稿情報を出力するように指示する出力要求の入力を受け付ける出力要求入力部を備え、前記広告出力部は、前記出力要求に含まれる前記投稿特定情報に対応する前記投稿情報を前記投稿記憶部から読み出し、前記投稿特定情報に対応する前記コメント情報を前記コメント記憶部から読み出し、前記広告取得部は、前記投稿情報に含まれている前記キーワードに対応する第１の前記広告情報を前記広告記憶部から読み出し、前記コメント情報のそれぞれについて、前記コメント情報に含まれている前記キーワードに対応する第２の前記広告情報を前記広告記憶部から読み出し、前記広告出力部は、前記投稿情報及び前記第１の広告情報を対応付けて出力し、前記コメント情報のそれぞれについて、前記コメント情報と対応する前記第２の広告情報とを対応付けて出力するようにしてもよい。  
この場合、投稿情報については、その投稿情報に関連する広告を出力し、コメント情報については、そのコメント情報に関連する広告を出力することができる。
【００１２】
その他本願が開示する課題やその解決方法については、発明の実施形態の欄及び図面により明らかにされる。
【発明の効果】
【００１３】
本発明によれば、情報の投稿者に対して効果的に広告を出力することができる。
【発明を実施するための最良の形態】
【００１４】
以下、本発明の一実施形態である情報処理システムについて説明する。本実施形態の情報処理システムは、ユーザから投稿された記事を表示するものであり、例えば、掲示板やブログなどのサービス（以下、投稿サービスという。）を提供することを想定している。本実施形態では、情報処理システムは、投稿サービスとしてブログのサービスを提供しているものとする。ブログサービスでは、あるユーザから投稿される日付入りの記事と、その記事に対して他のユーザから投稿されるコメントとが対応付けて表示されるものとする。本実施形態の情報処理システムは、ユーザから記事やコメントを受け付ける際に、入力された記事やコメントに応じた広告を出力しようとするものである。
【００１５】
＝＝システム構成＝＝
図１は、本実施形態の情報処理システムの全体構成を示す図である。同図に示すように、本実施形態の情報処理システムは、ユーザ端末１０及びサーバ装置２０を含んで構成されている。ユーザ端末１０とサーバ装置２０とは、通信ネットワーク３０を介して互いに通信可能に接続されている。通信ネットワーク３０は、例えば、インターネットやＬＡＮ（Local Area Network）、ＶＡＮ（Value Added Network）などである。通信ネットワーク３０は、例えば、イーサネット（登録商標）や電話回線網、無線通信網などにより構築される。本実施形態では、通信ネットワーク３０はインターネットであることを想定している。
【００１６】
ユーザ端末１０は、情報処理システムの利用者が操作する、例えば、パーソナルコンピュータやワークステーション、ＰＤＡ（Personal Digital Assistance）、携帯電話端末などのコンピュータである。ユーザ端末１０では、Ｗｅｂページを閲覧するためのブラウザが動作しており、利用者はユーザ端末１０で動作するブラウザを操作して、記事やコメントを閲覧し、記事やコメントの投稿を行う。
【００１７】
サーバ装置２０は、投稿サービスを提供する、例えば、パーソナルコンピュータやワークステーションなどのコンピュータである。本実施形態では、サーバ装置２０はＷｅｂアプリケーションとして投稿サービスを提供し、ユーザ端末１０との間でＨＴＴＰ（HyperText Transfer Protocol）に従って通信を行うものとする。
【００１８】
＝＝サーバ装置２０＝＝
図２は、サーバ装置２０のハードウェア構成の一例を示す図である。同図に示すように、サーバ装置２０は、ＣＰＵ２０１、メモリ２０２、記憶装置２０３、通信インタフェース２０４、入力装置２０５、出力装置２０６を備えている。
【００１９】
記憶装置２０３は、各種のデータやプログラムを記憶する、例えば、ハードディスクドライブやフラッシュメモリ、ＣＤ−ＲＯＭドライブなどである。ＣＰＵ２０１は、記憶装置２０３に記憶されているプログラムをメモリ２０２に読み出して実行することにより各種の機能を実現する。通信インタフェース２０４は、通信ネットワーク３０に接続するためのインタフェースであり、例えば、イーサネット（登録商標）に接続するためのアダプタや、電話回線網に接続するためのモデム、無線通信網に接続するための無線機などである。
【００２０】
入力装置２０５は、ユーザから情報の入力を受ける、例えばキーボードやマウス、タッチパネル、マイクロフォンなどである。出力装置２０６は、データを出力する、例えば、ディスプレイやプリンタ、スピーカなどである。
【００２１】
図３は、サーバ装置２０のソフトウェア構成を示す図である。同図に示すように、サーバ装置２０は、投稿要求受信部２１１、情報登録部２１２、広告取得部２１３、終了画面送信部２１４、表示情報送信部２１５、記事データベース２５１、コメントデータベース２５２、広告データベース２５３を備えている。
【００２２】
なお、投稿要求受信部２１１、情報登録部２１２、広告取得部２１３、終了画面送信部２１４、表示情報送信部２１５は、サーバ装置２０が備えるＣＰＵ２０１が記憶装置２０３に記憶されているプログラムをメモリ２０２に読み出して実行することにより実現される。また、記事データベース２５１、コメントデータベース２５２、広告データベース２５３は、サーバ装置２０が備えるメモリ２０２や記憶装置２０３が提供する記憶領域として実現される。
【００２３】
記事データベース２５１はユーザから投稿された記事を含む情報（以下、記事情報という。本発明の投稿情報に対応する。）を記憶する。記事データベース２５１に記憶される記事情報の構成例を図４に示す。同図に示すように、記事情報には、記事の識別情報（以下、記事ＩＤという。）、記事を投稿したユーザの識別情報（以下、ユーザＩＤという。）、投稿日、記事が所属するカテゴリ、タイトル、及び本文が含まれている。
【００２４】
コメントデータベース２５２は記事に対するコメントを含む情報（以下、コメント情報という。）を記憶する。コメントデータベース２５２に記憶されるコメント情報の構成例を図５に示す。同図に示すように、コメント情報には、コメントの識別情報（以下、コメントＩＤという。）、コメントを投稿したユーザのユーザＩＤ、コメントの対象となった記事の投稿ＩＤ、コメントの投稿日、及びコメントの内容が含まれている。
【００２５】
広告データベース２５３は、広告を表示するための情報（以下、広告情報という。）を記憶する。広告データベース２５３に記憶される広告情報の構成例を図６に示す。同図に示すように、広告情報には、キーワード、タイトル、ＵＲＬ、説明が含まれている。キーワードには１つ以上の単語が含まれる。広告を表示する際には、例えば、タイトルと説明とが並んで表示され、タイトルにはＵＲＬへのリンクを付けるようにすることができる。なお、広告情報には、一般的な広告に用いられる各種の項目を含めるようにすることができる。
【００２６】
投稿要求受信部２１１は、ユーザ端末１０から送信される、記事又はコメント（以下、記事又はコメントをまとめて投稿情報という。）を投稿するように指示するコマンド（以下、投稿要求という。）を受信する。本実施形態では、ユーザ端末１０は、ユーザから入力された情報を含むＨＴＴＰリクエストを投稿要求としてサーバ装置２０に送信するものとする。
【００２７】
情報登録部２１２は、登録確認情報が、投稿情報又はコメント情報を登録してよいことを示す場合に、記事情報を記事データベース２５１に登録し、又はコメント情報をコメントデータベース２５２に登録する。
【００２８】
広告取得部２１３は、投稿情報に応じた広告を広告データベース２５３から取得する。具体的には、広告取得部２１３は、投稿情報に含まれるキーワードに対応する広告情報を広告データベース２５３から取得する。広告取得部２１３は、例えば、一般的な形態素解析により投稿情報から抽出した単語のうち、出現頻度の高い順に所定数のものをキーワードとすることができる。また、広告取得部２１３は、記事情報から抽出した単語については、記事データベース２５１に登録されている記事情報に含まれる単語を用いて、ＴＦ−ＩＤＦ（Term Frequency - Inverse Document Frequency）により求められる指標値を算出して、指標値の高い順に所定数をキーワードとすることもできる。さらに、広告取得部２１３は、ＬＳＩ（Latent Semantic Indexing；潜在意味インデキシング）手法を用いて、投稿情報から特徴語を抽出してキーワードとしてもよい。
【００２９】
終了画面送信部２１４は、投稿情報の登録が完了した旨を表示するための画面（以下、登録終了画面という。）を表示するための画面データ（以下、登録終了画面データという。）をユーザ端末１０に送信する。登録終了画面データには、広告取得部２１３が取得した広告情報が含まれる。ユーザ端末１０では、登録終了画面データに基づいて、投稿情報を登録した旨のメッセージに加えて、投稿情報に応じた広告が表示される。
【００３０】
表示情報送信部２１５は、記事を取得するためのコマンド（以下、記事取得要求という。）に応じて、記事を表示するための画面データ（以下、記事画面データという。）をユーザ端末１０に送信する。なお、表示情報送信部２１５による処理の詳細については後述する。
【００３１】
以下、本実施形態の情報処理システムにおける処理について説明する。
【００３２】
＝＝記事の投稿処理＝＝
図７は、本実施形態の情報処理システムにおける記事情報の登録処理の流れを示す図である。  
まず、ユーザ端末１０はユーザから記事の入力を受け付ける（Ｓ５０１）。図８は、ユーザ端末１０が表示する、記事の入力画面４１の一例を示す図である。入力画面４１は、タイトルの入力欄４１２、カテゴリの入力欄４１３、本文の入力欄４１４を備えている。
【００３３】
入力欄４１２〜４１４に記事情報の各項目が入力され、投稿ボタン４１１が押下されると、ユーザ端末１０は、入力欄４１２〜４１４に入力されたタイトル、カテゴリ、本文を含む投稿要求をサーバ装置２０に送信する（Ｓ５０２）。  
サーバ装置２０では、投稿要求受信部２１１がユーザ端末１０から送信される投稿要求を受信すると、情報登録部２１２は、受信した投稿要求に含まれているタイトル、カテゴリ、本文と、現在の日付と、投稿したユーザのユーザＩＤとを含む記事情報を生成し、生成した記事情報を記事データベース２５１に登録する（Ｓ５０３）。
【００３４】
広告取得部２１３は、登録した記事情報に含まれているタイトルや本文などからキーワードをキーワードリストとして抽出する（Ｓ５０４）。キーワードの抽出は、例えば、一般的な形態素解析によって切り分けられた単語のうち、広告データベース２５３に登録されている広告情報のキーワードに含まれているもののみをキーワードとして抽出することができる。なお、広告取得部２１３は、上述したように、ＴＦ−ＩＤＦによる単語の重み付けをしてもよいし、ＬＳＩ手法により特徴語をキーワードとして抽出するようにしてもよい。
【００３５】
広告取得部２１３は、抽出したキーワードにマッチした数の多い順に所定数（例えば、１や２などの任意の数が設定されているものとする。）の広告情報を広告データベース２５３から取得する（Ｓ５０５）。すなわち、広告取得部２１３は、広告データベース２５３に記憶されている広告情報のそれぞれについて、広告情報に含まれる各キーワードが上記キーワードリストに含まれているか否かを判断して、キーワードリストに含まれるキーワードの数をカウントし、カウントしたキーワードの数が多いものから所定数の広告情報を取得する（Ｓ５０５）。
【００３６】
終了画面送信部２１４は、記事を登録した旨を示すメッセージと、広告取得部２１３が取得した広告情報とを含む登録終了画面データを生成してユーザ端末１０に送信する（Ｓ５０６）。  
ユーザ端末１０は、サーバ装置２０から送信される登録終了画面データを受信して、受信した登録終了画面データに基づいて、登録終了画面を表示する（Ｓ５０７）。
【００３７】
ユーザ端末１０において表示される登録終了画面４３の一例を図９に示す。図９に示す登録終了画面４３の例では、メッセージの表示欄４３１に「ブログに投稿されました」というメッセージが表示され、広告の表示欄４３２には、本文に含まれていたキーワードに対応する広告情報が表示されている。
【００３８】
このように、本実施形態の情報処理システムによれば、記事を投稿した際に、その記事を投稿したユーザに対して広告を表示することができる。従来、記事の投稿が完了した旨を示す登録終了画面に広告が表示されることはなかったが、本実施形態の情報処理システムのように登録終了画面に広告を表示することで、広告を露出する機会を多く確保することができる。特に、ブログや掲示板など、ユーザからの投稿の機会が多いサービスにおいては、より多くの広告の露出機会を確保することができる。
【００３９】
また、記事を投稿したユーザは、投稿した内容について最も関心が高いユーザの一人である。したがって、記事の内容に応じた広告を、その記事の投稿者に対して表示することができるので、その記事の内容に最も関心のあるユーザに対して広告を表示することができる。よって、より効果的な広告の表示を行うことができる。
【００４０】
また、本実施形態の情報処理システムでは、記事の投稿の時点でその記事の内容に応じた広告を表示することができるので、記事の投稿者に、その記事の内容についての記憶が新しいうちに、関連した広告を閲覧させることができる。よって、効果的な広告の効果が期待される。
【００４１】
＝＝コメントの投稿処理＝＝
上述した図７の投稿処理と同様の処理がコメントの投稿時にも行われる。  
ユーザ端末１０は、図７のステップＳ５０１では、記事に代えてコメントの入力を受け付けるようにし、ステップＳ５０２では、投稿要求に、受け付けたコメントとともに、コメントの対象となる記事の記事ＩＤを含めるようにする。図１０は、コメントの入力画面４４の一例を示す図である。図１０の例では、入力画面４４は、記事を表示するとともに、その記事に対するコメントの入力を受け付けるようにしている。入力画面４４は、記事の表示欄４４１とコメントの入力欄４４２とを備える。ユーザ端末１０は、投稿ボタン４４３が押下されると、入力欄４４２に入力されたコメントと、表示欄４４１に表示されている記事の記事ＩＤとを含む投稿要求をサーバ装置２０に送信する。
【００４２】
サーバ装置２０では、図７のステップＳ５０３において、投稿要求に含まれている記事ＩＤとコメントと、コメントを入力したユーザのユーザＩＤとを含むコメント情報をコメントデータベース２５２に登録する。また、サーバ装置２０は、ステップＳ５０４において、コメント情報からキーワードを抽出し、ステップＳ５０６において、コメントを登録した旨を示すメッセージと広告情報とを含む登録終了画面をユーザ端末１０に送信する。
【００４３】
図１１は、コメントの入力に対する登録終了画面４３’の一例を示す図である。図１１に示す登録終了画面４３’では、コメントを登録した旨を示す「投稿ありがとうございました」というメッセージが表示欄４３１に表示され、コメントに含まれるキーワードに対応する広告が表示欄４３２に表示される。
【００４４】
このように、本実施形態の情報処理システムでは、コメントの投稿時にも、そのコメントの内容に応じた広告を、コメントの投稿者に対して表示することができる。したがって、より広告の露出機会を増加させることができる。
【００４５】
また、コメントの内容に応じた広告を、そのコメントの投稿者に対して表示することができるので、そのコメントの内容に最も関心のあるユーザに対して、コメントした内容についての記憶が新しいうちに、コメントの内容に応じた広告を閲覧させることができる。よって、より効果的な広告の表示を行うことができる。
【００４６】
＝＝記事の表示処理＝＝
上記のようにして、記事情報とコメント情報が登録された後、ユーザ端末１０から記事取得要求が送信されると、サーバ装置２０の表示情報送信部２１５は、記事取得要求に応じた記事情報と、その記事情報に対応するコメント情報とを含む記事画面データをユーザ端末１０に送信する。図１２は、記事画面データの作成処理の流れを示す図である。なお、図１２の処理は、サーバ装置２０がユーザ端末１０から記事取得要求を受信したときに実行される。
【００４７】
表示情報送信部２１５は、記事取得要求に含まれている記事ＩＤ又は日付に対応する記事情報を記事データベース２５１から取得する（Ｓ５２１）。  
広告取得部２１３は、表示情報送信部２１５が取得した記事情報からキーワードを抽出する（Ｓ５２２）。広告取得部２１３は、抽出したキーワードにマッチする数が多い順に所定数の広告情報を広告データベース２５３から取得する（Ｓ５２３）。  
表示情報送信部２１５は、上記のようにして取得した記事情報と広告情報とを対応付けて記事画面データに記述する（Ｓ５２４）。  
表示情報送信部２１５は、取得した記事情報の記事ＩＤに対応するコメント情報をコメントデータベース２５２から取得する（Ｓ５２５）。表示情報送信部２１５が取得したコメント情報のそれぞれについて以下の処理が行われる。  
広告取得部２１３は、コメント情報からキーワードを抽出し（Ｓ５２６）、抽出したキーワードにマッチする数が多い順に所定数の広告情報を広告データベース２５３から取得する（Ｓ５２７）。  
表示情報送信部２１５は、コメント情報と広告情報とを対応付けて、上記記事画面データに追記する（Ｓ５２８）。  
各コメント情報について以上の処理が行われると、表示情報送信部２１５は、記事画面データをユーザ端末１０に送信する（Ｓ５２９）。
【００４８】
記事の表示画面４５の一例を図１３に示す。図１３の例では、表示画面４５は、記事の表示欄４５１、記事の内容に応じた広告の表示欄４５２、記事に対するコメントの表示欄４５３、及びコメントの内容に応じた広告の表示欄４５４を備えている。なお、図１３の表示画面４５は、記事に対してコメントが１つだけ投稿されている場合の例を示しているが、コメントが複数投稿されている場合には、表示欄４５３及び４５４がセットになって増加する。
【００４９】
このように本実施形態の情報処理システムでは、１つの表示画面４５において、記事の内容に応じた広告が表示欄４５２に表示され、コメントの内容に応じた広告が、コメントごとに表示欄４５４に表示される。したがって、閲覧者は、記事を閲覧したときには、その記事の内容に応じた広告を閲覧し、コメントを閲覧したときには、コメントの内容に応じた広告を閲覧することになる。よって、閲覧者に対してより効果的な広告を出力することができる。
【００５０】
また、記事とコメントとを含む、表示画面４５に表示された内容全体に応じた広告を検索するよりも、記事の内容に応じた広告と、コメントの内容に応じたコメントとを別々に検索する方が、広告の引き当てを容易に行うことが可能となる。したがって、広告の選択肢を増やして、バリエーションに富んだ広告を出力することができる。例えば、記事とコメントとで着目されている事柄が違うような場合には、その全体の内容に応じた広告を検索するとなると、選択可能な広告が少なくなってしまうことがあり、広告の露出機会を制限してしまうことになるが、本実施形態の情報処理システムのように、記事の内容に応じた広告と、コメントの内容に応じた広告とを別々に引き当てることにより、記事の内容には合わなくても、コメントの内容には合っている広告や、コメントの内容には合わなくても、記事の内容には合っている広告などについても、露出機会を確保することができる。よって、広告を記事やコメントの内容に合わせつつ、広告の露出機会を減らすことなく、広告を出力するようにすることができる。
【００５１】
なお、本実施形態では、記事やコメントの各項目はテキストデータであることを想定していたが、画像データや音声データを含めるようにしてもよい。この場合、例えば、画像データや音声データへのＵＲＬをリンクとして記述するようにしてもよいし、記事情報やコメント情報の項目としてバイナリデータを格納するようにしてもよい。また、記事情報やコメントデータに画像データや音声データなどが含まれている場合には、テキストデータのみからキーワードを抽出して広告を検索するようにしてもよいし、画像認識や音声認識により画像や音声からテキストデータを抽出するようにしてもよい。
【００５２】
また、記事やコメントの項目ごとに重みを付けるようにしてもよい。例えば、タイトルに含まれているキーワードにより大きな評価値を与えて、評価値の高いキーワードに対応する広告情報を出力するようにすることができる。
【００５３】
また、広告ごとに単価を設定しておき、キーワードに対応する広告情報が複数ある場合に、単価の高い広告を優先的に出力するようにしてもよい。この場合、例えば、広告情報に単価の項目を設けておき、図７のステップＳ５０５や、図１２のステップ５２３、ステップＳ５２７において、広告取得部２１３は、キーワードが含まれている広告情報のうち、単価の高いものから順に所定数のものを取得するようにする。
【００５４】
また、本実施形態では、投稿要求受信部２１１が投稿要求を受信すると、情報登録部２１２は、そのまま記事情報やコメント情報を登録するものとしたが、記事やコメントを登録してよいか否かを問い合わせる画面（以下、登録確認画面という。）を表示して、ユーザに確認を求めるようにしてもよい。この場合、サーバ装置２０は、投稿要求に応じて登録確認画面を表示するための画面データ（以下、登録確認画面データという。）をユーザ端末１０に送信する登録確認画面送信部と、ユーザ端末１０から送信される、記事やコメントを登録してよいか否かを示す情報（以下、登録確認情報という。）を受信する確認情報受信部とを備えるようにし、情報登録部２１２は、登録してもよいことを示す登録確認情報を受信した場合にのみ記事情報やコメント情報を登録するようにする。ここで、登録確認画面にも広告が出力されるようにすることができる。すなわち、広告取得部２１３は、図７や図１２の処理と同様に、投稿要求に含まれる記事やコメントから抽出したキーワードに対応する広告情報を取得し、登録確認画面送信部は、登録要求に含まれる記事やコメントと、その記事やコメントを登録してもよいか否かを問い合わせるメッセージと、広告取得部２１３が取得した広告情報とを含む登録確認画面データをユーザ端末１０に送信するようにする。これにより、記事やコメントの投稿者が、記事やコメントの投稿を確認している間にも、その内容に応じた広告を閲覧するようにすることができる。つまり、投稿者が最も関心を寄せている入力中の内容に応じた広告が表示されることになる、したがって、効果的な広告効果が期待される。
【００５５】
また、ユーザ端末１０は、入力画面に入力されている記事やコメントの定期的に入力画面に入力されている記事やコメントの内容をサーバ装置２０に送信し、サーバ装置２０は、送信されてきた記事やコメントからキーワードを抽出し、抽出したキーワードに対応する広告情報をユーザ端末１０に送信し、ユーザ端末１０はサーバ装置２０から受信した広告情報を、入力欄の近傍に表示するようにしてもよい。
【００５６】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００５７】
【図１】本実施形態の情報処理システムの全体構成を示す図である。
【図２】サーバ装置２０のハードウェア構成の一例を示す図である。
【図３】サーバ装置２０のソフトウェア構成を示す図である。
【図４】記事データベース２５１に記憶される記事情報の構成例を示す図である。
【図５】コメントデータベース２５２に記憶されるコメント情報の構成例を示す図である。
【図６】広告データベース２５３に記憶される広告情報の構成例を示す図である。
【図７】記事情報の登録処理の流れを示す図である。
【図８】記事の入力画面４１の一例を示す図である。
【図９】登録終了画面４３の一例を示す図である。
【図１０】コメントの入力画面４４の一例を示す図である。
【図１１】コメントの入力に対する登録終了画面４３’の一例を示す図である。
【図１２】記事画面データの作成処理の流れを示す図である。
【図１３】記事の表示画面４５の一例を示す図である。
【符号の説明】
【００５８】
１０    ユーザ端末
２０    サーバ装置
２０１  ＣＰＵ
２０２  メモリ
２０３  記憶装置
２０４  通信インタフェース
２０５  入力装置
２０６  出力装置
２１１  投稿要求受信部
２１２  情報登録部
２１３  広告取得部
２１４  終了画面送信部
２１５  表示情報送信部
２５１  記事データベース
２５２  コメントデータベース
２５３  広告データベース
３０    通信ネットワーク
４１    入力画面
４３    登録終了画面
４４    入力画面
４５    表示画面
【図１】
2010015456.tif 000003
【図２】
2010015456.tif 000004
【図３】
2010015456.tif 000005
【図４】
2010015456.tif 000006
【図５】
2010015456.tif 000007
【図６】
2010015456.tif 000008
【図７】
2010015456.tif 000009
【図８】
2010015456.tif 000010
【図９】
2010015456.tif 000011
【図１０】
2010015456.tif 000012
【図１１】
2010015456.tif 000013
【図１２】
2010015456.tif 000014
【図１３】
2010015456.tif 000015
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
ユーザから投稿される投稿情報を記憶する投稿記憶部と、
キーワードに対応付けて広告情報を記憶する広告記憶部と、
前記ユーザから前記投稿情報の入力を受け付ける投稿情報入力部と、
前記投稿情報を前記投稿記憶部に登録する投稿登録部と、
前記投稿情報に含まれる前記キーワードを抽出するキーワード抽出部と、
前記抽出したキーワードに対応する前記広告情報を前記広告記憶部から読み出す広告取得部と、
前記投稿情報を登録した旨を示すメッセージとともに、前記読み出した広告情報を出力する広告出力部と、
を備えることを特徴とする情報管理システム。
【請求項２】
請求項１に記載の情報管理システムであって、
前記投稿情報を登録するように指示する登録要求の入力を受け付ける登録要求入力部を備え、
前記投稿情報入力部が前記投稿情報の入力を受け付け、前記広告取得部が前記投稿情報に含まれる前記キーワードに対応する前記広告情報を前記広告記憶部から読み出し、前記広告出力部が前記入力された投稿情報を登録するか否かを問い合わせる登録確認メッセージとともに前記広告情報を出力し、前記登録要求入力部が前記登録要求を受け付けた場合に、前記投稿登録部が前記投稿情報を前記投稿記憶部に登録すること、
を特徴とする情報管理システム。
【請求項３】
請求項１に記載の情報管理システムであって、
前記投稿情報を特定する投稿特定情報に対応付けて、前記投稿情報に対するコメント情報を記憶するコメント記憶部と、
前記投稿特定情報及び前記コメント情報の入力を受け付けるコメント情報入力部と、
前記受け付けた投稿特定情報及びコメント情報を対応付けて前記コメント記憶部に登録するコメント登録部と、
を備え、
前記広告取得部は、前記コメント情報入力部が受け付けた前記コメント情報に含まれている前記キーワードに対応する前記広告情報を前記広告記憶部から読み出し、
前記広告出力部は、前記コメント情報を登録した旨を示すメッセージとともに前記広告情報を出力すること、
を特徴とする情報管理システム。
【請求項４】
請求項３に記載の情報管理システムであって、
前記コメント情報を登録するように指示するコメント登録要求の入力を受け付けるコメント登録要求入力部を備え、
前記コメント情報入力部が前記コメント情報の入力を受け付け、前記広告取得部が前記コメント情報に含まれる前記キーワードに対応する前記広告情報を前記広告記憶部から読み出し、前記広告出力部が前記入力されたコメント情報を登録するか否かを問い合わせる登録確認メッセージとともに前記広告情報を出力し、前記コメント登録要求入力部が前記コメント登録要求を受け付けた場合に、前記コメント登録部が前記コメント情報を前記コメント記憶部に登録すること、
を特徴とする情報管理システム。
【請求項５】
請求項３に記載の情報管理システムであって、
前記投稿特定情報を含む、前記投稿情報を出力するように指示する出力要求の入力を受け付ける出力要求入力部を備え、
前記広告出力部は、前記出力要求に含まれる前記投稿特定情報に対応する前記投稿情報を前記投稿記憶部から読み出し、前記投稿特定情報に対応する前記コメント情報を前記コメント記憶部から読み出し、
前記広告取得部は、前記投稿情報に含まれている前記キーワードに対応する第１の前記広告情報を前記広告記憶部から読み出し、前記コメント情報のそれぞれについて、前記コメント情報に含まれている前記キーワードに対応する第２の前記広告情報を前記広告記憶部から読み出し、
前記広告出力部は、前記投稿情報及び前記第１の広告情報を対応付けて出力し、前記コメント情報のそれぞれについて、前記コメント情報と対応する前記第２の広告情報とを対応付けて出力すること、
を特徴とする情報管理システム。
【請求項６】
ＣＰＵとメモリとを備えるコンピュータが、
ユーザから投稿される投稿情報を前記メモリに記憶し、
キーワードに対応付けて広告情報を前記メモリに記憶し、
前記ユーザから前記投稿情報の入力を受け付け、
前記投稿情報を前記投稿記憶部に登録し、
前記投稿情報に含まれる前記キーワードを抽出し、
前記抽出したキーワードに対応する前記広告情報を前記メモリから読み出し、
前記投稿情報を登録した旨を示すメッセージとともに、前記読み出した広告情報を出力すること、
を特徴とする広告出力方法。
【請求項７】
ＣＰＵとメモリとを備えるコンピュータに、
ユーザから投稿される投稿情報を前記メモリに記憶するステップと、
キーワードに対応付けて広告情報を前記メモリに記憶するステップと、
前記ユーザから前記投稿情報の入力を受け付けるステップと、
前記投稿情報を前記投稿記憶部に登録するステップと、
前記投稿情報に含まれる前記キーワードを抽出するステップと、
前記抽出したキーワードに対応する前記広告情報を前記メモリから読み出すステップと、
前記投稿情報を登録した旨を示すメッセージとともに、前記読み出した広告情報を出力するステップと、
を実行させるためのプログラム。
【手続補正２】
【補正対象書類名】明細書
【補正対象項目名】０００７
【補正方法】変更
【補正の内容】
【０００７】
また、投稿者は投稿した内容について最も関心が高いユーザの一人であるので、投稿された内容に応じた広告を、最も関心が高いユーザを対象として出力することができる。よって、より効果的な広告効果が期待される。
さらに、投稿者は投稿した内容について時間とともに記憶が薄れることが多いものの、本発明の情報管理システムでは、投稿された情報を登録する時点で、その内容に応じた広告を出力することができるので、投稿者の記憶の新しいうちに、関連した広告を閲覧させることができる。よって、効果的な広告効果が期待される。
【手続補正３】
【補正対象書類名】明細書
【補正対象項目名】０００８
【補正方法】変更
【補正の内容】
【０００８】
また、本発明の情報管理システムは、前記投稿情報を登録するように指示する登録要求の入力を受け付ける登録要求入力部を備え、前記投稿情報入力部が前記投稿情報の入力を受け付け、前記広告取得部が前記投稿情報に含まれる前記キーワードに対応する前記広告情報を前記広告記憶部から読み出し、前記広告出力部が前記入力された投稿情報を登録するか否かを問い合わせる登録確認メッセージとともに前記広告情報を出力し、前記登録要求入力部が前記登録要求を受け付けた場合に、前記投稿登録部が前記投稿情報を前記投稿記憶部に登録するようにしてもよい。
【手続補正４】
【補正対象書類名】明細書
【補正対象項目名】００１０
【補正方法】変更
【補正の内容】
【００１０】
また、本発明の情報管理システムは、前記コメント情報を登録するように指示するコメント登録要求の入力を受け付けるコメント登録要求入力部を備え、前記コメント情報入力部が前記コメント情報の入力を受け付け、前記広告取得部が前記コメント情報に含まれる前記キーワードに対応する前記広告情報を前記広告記憶部から読み出し、前記広告出力部が前記入力されたコメント情報を登録するか否かを問い合わせる登録確認メッセージとともに前記広告情報を出力し、前記コメント登録要求入力部が前記コメント登録要求を受け付けた場合に、前記コメント登録部が前記コメント情報を前記コメント記憶部に登録するようにしてもよい。
この場合、コメントの投稿者が、投稿しようとしているコメントの内容を確認している間に、既に入力された内容に応じた広告を投稿者に対して出力することができる。
【手続補正５】
【補正対象書類名】図面
【補正対象項目名】図５
【補正方法】変更
【補正の内容】
【図５】
2010015456.tif 000016